(57)【要約】【課題】本発明は、光学結像技術分野に関し、遮光板および当該遮光板を備えるレンズモジュールを提供する。【解決手段】本発明では、遮光板は、固定且つ遮光のための本体部と、遮光するための遮光アームとを備え、前記本体部は、物体側に近接する物体側面と、前記物体側面に対向設置される像側面と、前記物体側面と前記像側面とを接続し、光軸に近接する内周縁面とを備え、前記遮光アームは、前記内周縁面から前記光軸に向かって延在する。本発明による遮光板および当該遮光板を備えるレンズモジュールは、迷光と光漏れを防止できるとともに、生産コストを削減し、さらにレンズモジュールの光学性能と安定性を向上させることができる。【選択図】図２
2020024396.tif 000002
【特許請求の範囲】
【請求項１】
固定且つ遮光のための本体部を含む遮光板であって、
遮光するための遮光アームをさらに備え、
前記本体部は、物体側に近接する物体側面と、前記物体側面に対向設置される像側面と、前記物体側面と前記像側面とを接続し、光軸に近接する内周縁面とを備え、
前記遮光アームは、前記内周縁面から前記光軸に向かって延在する、ことを特徴とする遮光板。
【請求項２】
前記遮光アームは、第１遮光アームと、第２遮光アームとを備え、
前記第１遮光アームは、前記内周縁面における前記物体側面に近接する縁に設けられ、
前記第２遮光アームは、前記内周縁面における前記像側面に近接する縁に設けられている、ことを特徴とする請求項１に記載の遮光板。
【請求項３】
前記第１遮光アームは、像側に近接する第１表面と、前記第１表面に対向設置される第２表面と、前記第２表面の前記光軸に近接する側より前記光軸から離間する方向に向かって前記第１表面まで斜めに延在する第１端面とを備え、
前記第２遮光アームは、像側に近接する第３表面と、前記第３表面に対向設置される第４表面と、前記第４表面の前記光軸に近接する側より前記光軸から離間する方向に向かって前記第３表面まで斜めに延在する第２端面とを備え、
前記第１端面と前記光軸との距離は、前記第２端面と前記光軸との距離よりも小さい、ことを特徴とする請求項２に記載の遮光板。
【請求項４】
前記第１表面には、艶消し領域が設けられている、ことを特徴とする請求項３に記載の遮光板。
【請求項５】
前記第１端面には、艶消し領域が設けられている、ことを特徴とする請求項４に記載の遮光板。
【請求項６】
前記第２端面には、艶消し領域が設けられている、ことを特徴とする請求項５に記載の遮光板。
【請求項７】
前記遮光アームと前記本体部は、一体成型される、ことを特徴とする請求項１に記載の遮光板。
【請求項８】
レンズモジュールであって、
収容空間を有する鏡筒と、前記収容空間内に収容される光学ユニットとを備え、
前記光学ユニットは、物体側に近接する第１レンズと、前記第１レンズの像側に設けられる第２レンズと、前記第２レンズの像側に設けられる第３レンズと、前記第３レンズの像側に設けられる第４レンズと、請求項１〜７のいずれか１項に記載の遮光板とを備え、
前記遮光板は、前記第３レンズと前記第４レンズとの間に設けられている、ことを特徴とするレンズモジュール。
【発明の詳細な説明】
【技術分野】
【０００１】
本発明は、光学結像技術分野に関し、特に遮光板および当該遮光板を備えるレンズモジュールに関する。
【背景技術】
【０００２】
科学技術が絶えずに発展していることに伴い、電子機器が絶えずにインテリジェント化へ発展しており、ユーザが随時に撮影する需要を満たすために、デジタルカメラを除き、携帯型電子機器、例えばタブレットパソコン、携帯電話などにも撮像機能を有するレンズモジュールが配置されている。関連する技術におけるレンズモジュールは、レンズと、遮光するための遮光板とを備える。
【発明の概要】
【発明が解決しようとする課題】
【０００３】
本発明の発明者は、従来技術において、少なくとも以下の問題があると見だした。即ち、迷光と光漏れを防止するために、遮光板には遮光シートが取り付けられており、遮光シートの設置によって、遮光シートを取り付ける工程が追加され、生産のコストを増加させ、また、遮光シートを遮光板に取り付ける過程では、バリが生じやすく、遮光板と遮光シートとの組立がずれやすく、レンズの光学性能に影響するとともに、使用中に遮光シートと遮光板が変位する恐れがあり、レンズモジュールの安定性が高くない。
【課題を解決するための手段】
【０００４】
本発明における実施形態は、迷光と光漏れを防止できるとともに、生産コストを削減し、さらにレンズモジュールの光学性能と安定性を向上させることが可能な遮光板を提供することを目的とする。
【０００５】
上記技術的問題を解決するために、本発明における実施形態は、遮光板を提供し、当該遮光板は、固定且つ遮光のための本体部と、遮光するための遮光アームとを備え、前記本体部は、物体側に近接する物体側面と、前記物体側面に対向設置される像側面と、前記物体側面と前記像側面とを接続し、光軸に近接する内周縁面とを備え、前記遮光アームは、前記内周縁面から前記光軸に向かって延在する。
【０００６】
本発明における実施形態は、レンズモジュールをさらに提供し、当該レンズモジュールは、収容空間を有する鏡筒と、前記収容空間内に収容される光学ユニットとを備え、前記光学ユニットは、物体側に近接する第１レンズと、前記第１レンズの像側に設けられる第２レンズと、前記第２レンズの像側に設けられる第３レンズと、前記第３レンズの像側に設けられる第４レンズと、上記した遮光板とを備え、前記遮光板は、前記第３レンズと前記第４レンズとの間に設けられている。
【０００７】
本発明における実施形態は、従来技術に対して、本体部に遮光するための遮光アームを設けることにより、迷光と光漏れを防止し、遮光シートを別途取り付ける必要がなく、工程を減らし、コストを削減するとともに、従来技術において遮光シートを遮光板に取り付ける過程での組立のずれとバリの発生の問題を回避し、レンズモジュールの光学性能を向上させることができ、また、レンズモジュールの使用中に遮光シートと遮光板が変位する問題を回避し、レンズモジュールの安定性を向上させることができる。
【０００８】
また、前記遮光アームは、第１遮光アームと、第２遮光アームとを備え、前記第１遮光アームは、前記内周縁面における前記物体側面に近接する縁に設けられ、前記第２遮光アームは、前記内周縁面における前記像側面に近接する縁に設けられている。前記第１遮光アームをレンズからより近く設けることにより、迷光がレンズに進入することをより良く防止し、前記第２遮光アームを鏡筒口からより近く設けることにより、迷光が鏡筒に進入することをより良く防止して、レンズモジュールの光学性能を向上させることができる。
【０００９】
また、前記第１遮光アームは、像側に近接する第１表面と、前記第１表面に対向設置される第２表面と、前記第２表面の前記光軸に近接する側より前記光軸から離間する方向に向かって前記第１表面まで斜めに延在する第１端面とを備え、前記第２遮光アームは、像側に近接する第３表面と、前記第３表面に対向設置される第４表面と、前記第４表面の前記光軸に近接する側より前記光軸から離間する方向に向かって前記第３表面まで斜めに延在する第２端面とを備え、前記第１端面と前記光軸との距離は、前記第２端面と前記光軸との距離よりも小さい。このように設置することで、レンズモジュールの結像規則により合致することができ、レンズモジュールの結像品質を向上させることができる。
【００１０】
また、前記第１遮光アームは、像側に近接する第１表面をさらに備え、前記第１表面には、艶消し領域が設けられている。前記第１端面と前記光軸との距離が、前記第２端面と前記光軸との距離よりも小さいため、前記第１表面に艶消し領域が設けられることにより、迷光がレンズに進入することを大幅に防止することができる。
【００１１】
また、前記第１端面は、前記第１表面の光軸に近接する縁から前記光軸に近づく方向に沿って物体側に向かって延在し、かつ、前記第１端面には、艶消し領域が設けられている。このように設置することで、第１端面に入射する迷光をより良く吸収することができ、迷光をより良く防止することができる。
【００１２】
また、前記第２遮光アームは、像側に近接する第２表面をさらに備え、前記第２端面は、前記第２表面の光軸に近接する縁から前記光軸に近づく方向に沿って物体側に向かって延在し、かつ、前記第２端面には、艶消し領域が設けられている。このように設置することで、第２端面に入射する迷光をより良く吸収することができ、迷光をより良く防止することができる。
【００１３】
また、前記遮光アームと前記本体部は、一体成型される。
【図面の簡単な説明】
【００１４】
１つ又は複数の実施例をそれに対応する図面に示す図で例示的に説明するが、これらの例示的な説明は、実施例に対する限定するものではない。図面において、同じ参考のための数字符号を有する素子は、類似する素子として表示され、別途説明がない限り、図面における図は、比例に対する限定を構成しない。
【図１】本発明の第１実施形態に係る遮光板の断面構造を示す模式図である。
【図２】図１においてＡ箇所の局所拡大図である。
【図３】本発明の置き換え可能な実施形態に係る遮光板の断面構造を示す模式図である。
【図４】図３においてＢ箇所の局所拡大図である。
【図５】本発明の第２実施形態に係るレンズモジュールの断面構造を示す模式図である。
【図６】本発明の置き換え可能な実施形態に係るレンズモジュールの断面構造を示す模式図である。
【発明を実施するための形態】
【００１５】
本発明の目的、技術案および利点をより明瞭にするために、以下、図面を参照しながら、本発明の各実施形態をより詳しく説明する。ただし、本発明の各実施形態では、本発明をより良く理解するために、多くの技術的詳細が提示されている。しかしながら、これらの技術的詳細と下記各実施形態に基づく種々の変更および修正がなくても、本発明の特許請求の範囲において保護を求める技術案を実現し得ることは、当業者に理解されるであろう。
【００１６】
上記技術的問題を解決するために、本発明における実施形態は遮光板１００を提供し、図１と図２に示すように、遮光板１００は、レンズをを当接保持する本体部１１と、遮光するための遮光アーム１２とを備え、前記本体部１１は、物体側に近接する物体側面１１１と、前記物体側面１１１に対向設置される像側面１１２と、前記物体側面１１１と前記像側面１１２とを接続し、光軸ＯＯ´に近接する内周縁面１１３とを備え、前記遮光アーム１２は、前記内周縁面１１３から前記光軸ＯＯ´に向かって延在する。
【００１７】
本発明における実施形態は、従来技術に比べて、本体部１１に遮光するための遮光アーム１２を設けることにより、迷光と光漏れを防止することが実現され、遮光シートを別途追加する必要がなく、コストを削減させ、遮光シートの組立のずれおよびバリの発生の問題を回避し、レンズモジュールの光学性能を向上させ、また、レンズモジュールの使用中に遮光シートと遮光板１００が変位する問題を回避し、レンズモジュールの安定性を向上させることができる。
【００１８】
本実施形態では、前記遮光アーム１２は、第１遮光アーム１２１と第２遮光アーム１２２とを備え、前記第１遮光アーム１２１は、前記内周縁面１１３における前記物体側面１１１に近接する縁に設けられ、前記第２遮光アーム１２２は、前記内周縁面１１３における前記像側面１１２に近接する縁に設けられている。前記第１遮光アーム１２１をレンズからより近く設けることにより、迷光がレンズに進入することをより良く防止し、前記第２遮光アーム１２２を鏡筒口からより近く設けることにより、迷光が鏡筒に進入することをより良く防止し、レンズモジュールの光学性能を向上させることができる。
【００１９】
迷光と光漏れを防止する効果を奏することができるのであれば、第１遮光アーム１２１および／または第２遮光アーム１２２が内周縁面１１３の中間位置に設けられてもよいことは、理解され得る。
【００２０】
好ましくは、前記第１遮光アーム１２１は、像側に近接する第１表面１２１ａと、前記第１表面１２１ａに対向設置される第２表面１２１ｂと、前記第２表面１２１ｂの前記光軸ＯＯ´に近接する側より前記光軸ＯＯ´から離間する方向に向かって前記第１表面１２１ａまで斜めに延在する第１端面１２１ｃとを備え、前記第２遮光アーム１２２は、像側に近接する第３表面１２２ａと、前記第３表面１２２ａに対向設置される第４表面１２２ｂと、前記第４表面１２２ｂの前記光軸ＯＯ´に近接する側より前記光軸ＯＯ´から離間する方向に向かって前記第３表面１２２ａまで斜めに延在する第２端面１２２ｃとを備え、前記第１端面１２１ｃと前記光軸ＯＯ´との距離が、前記第２端面１２２ｃと前記光軸ＯＯ´との距離よりも小さい。遮光板１００のスルーホールを通る光線が発散するものであるため、前記第１端面１２１ｃと前記光軸ＯＯ´との距離を前記第２端面１２２ｃと前記光軸ＯＯ´との距離よりも小さくすることにより、レンズモジュールの結像規則により合致し、結像するための光線をできる限り残し、レンズモジュールの結像品質を向上させることができる。
【００２１】
なお、前記第１表面１２１ａには、艶消し領域が設けられている。前記第１端面１２１ｃと前記光軸ＯＯ´との距離が、前記第２端面１２２ｃと前記光軸ＯＯ´との距離よりも小さいため、多くの迷光が第１表面１２１ａに反射されるので、前記第１表面１２１ａに艶消し領域を設けることにより、迷光がレンズに進入することを大きく防止することができる。
【００２２】
本実施形態では、前記第１端面１２１ｃには、艶消し領域が設けられている。このように設置することで、第１端面１２１ｃに入射する迷光をより良く吸収することができ、迷光をより良く防止することができる。好ましくは、前記第２端面１２２ｃには、艶消し領域が設けられている。このように設置することで、第２端面１２２ｃに入射する迷光をより良く吸収することができ、迷光をより良く防止することができる。 
【００２３】
前記第１端面１２１ｃおよび／または前記第２端面１２２ｃが、光軸ＯＯ´方向に延在してもよく、また、前記第１遮光アーム１２１と第２遮光アーム１２２における他の表面にも艶消し領域が設けられてもよいことは、理解され得る。
【００２４】
好ましくは、前記遮光アームと前記本体部が一体成型される。このように設置することで、一回の操作で、本体部と遮光アームを同時に形成することができ、製造工程を省略することができ、生産コストを節約することができる。
【００２５】
図３と図４に示すように、前記遮光アームが第１遮光アーム１２１のみを備えてもよく、前記第１遮光アーム１２１が、前記内周縁面１１３の前記物体側面１１１に近接する縁に設けられている。
【００２６】
理解できるように、前記第１遮光アーム１２１が内周縁面１１３の中間位置に設けられてもよく、遮光アーム１２が３つや３つ以上であってもよく、いずれも同じ技術効果を奏することができ、ここでは説明を省略する。
【００２７】
本発明の第２実施形態がレンズモジュール３００を提供し、図５に示すように、レンズモジュール３００が、収容空間２０を有する鏡筒１３と、前記収容空間２０内に収容される光学ユニット１４とを備え、前記光学ユニット１４は、物体側に近接する第１レンズ１４１と、前記第１レンズ１４１の像側に設けられる第２レンズ１４２と、前記第２レンズ１４２の像側に設けられる第３レンズ１４３と、前記第３レンズ１４３の像側に設けられる第４レンズ１４４と、上記した遮光板１００とを備え、前記遮光板１００は、前記第３レンズ１４３と前記第４レンズ１４４との間に設けられている。
【００２８】
理解できるように、図６に示すように、レンズモジュール４００が上記した遮光板２００を備えてもよい。具体的に、レンズモジュール４００が、収容空間２０を有する鏡筒１３と、前記収容空間２０内に収容される光学ユニット１４とを備え、前記光学ユニット１４が、物体側に近接する第１レンズ１４１と、前記第１レンズ１４１の像側に設けられる第２レンズ１４２と、前記第２レンズ１４２の像側に設けられる第３レンズ１４３と、前記第３レンズ１４３の像側に設けられる第４レンズ１４４と、上記した遮光板２００とを備え、前記遮光板２００が、前記第３レンズ１４３と前記第４レンズ１４４との間に設けられている。
【００２９】
上述した各実施形態は、本発明を実現するための具体的な実施例であり、当業者にとって、実際の応用では、本発明の趣旨を逸脱しない範囲で形式や詳細を各種の改良を行うことが可能であると理解されるべきである。
【図１】
2020024396.tif 000003
【図２】
2020024396.tif 000004
【図３】
2020024396.tif 000005
【図４】
2020024396.tif 000006
【図５】
2020024396.tif 000007
【図６】
2020024396.tif 000008